(57)【要約】【課題】ＣＰＵ基部とラジエータ基部とを固定することのできる係合装置と呼ばれる、ＣＰＵ冷却用保持装置を提供すること。【解決手段】プレス板、把持捧、保持捧、および２つの可動フック脚部を含む。プレス板は、熱伝導金属から作られ、２つの側面が残りの部分よりも高く、中心部が２つの側面よりも低くて中央板を形成する。把持捧は、熱伝導金属から作られ、プレス板に接合され、下方へ延びるフック脚部を両端が各々有し、各フック脚部の端部が内曲げ脚部フックとなっている。保持捧は、熱伝導金属から作られ、把持捧とは反対側の一方の側面に配置され、両端がピボット装置を各々有する。可動フック脚部は、熱伝導金属から作られ、各ピボット装置に可動に接合され、各可動フック脚部の下端部が内曲げフック端部となっている。【選択図】　図１
0003096938.tif 000002
【実用新案登録請求の範囲】
【請求項１】
ＣＰＵ基部とラジエータ基部とを固定することのできる係合装置と呼ばれる、ＣＰＵ冷却用保持装置であって、
熱伝導金属から作られ、残りの部分よりも高い２つの側面を有し、２つの側面よりも低くて中央板を形成する中心部を提供するプレス板と、
熱伝導金属から作られ、プレス板に接合され、下方へ延びるフック脚部を両端が各々有し、各フック脚部の端部が内曲げ脚部フックである把持捧と、
熱伝導金属から作られ、把持捧とは反対側の一方の側面に配置され、両端がピボット装置を各々有する保持捧と、
熱伝導金属から作られ、各ピボット装置に可動に接合され、各可動フック脚部の下端部が内曲げフック端部である２つの可動フック脚部とを含み、
フック脚部はＣＰＵ基部に事前設定された４つの支柱孔のうちの２つに挿入され、可動フック脚部は支柱孔のうちの別の２つに挿入され、中央板はラジエータ基部の上部を押圧して、ＣＰＵ基部とラジエータ基部とが密着したまま維持されることを特徴とするＣＰＵ冷却用保持装置。
【請求項２】
２つの可動フック脚部を、接続板により互いに接合することができることを特徴とする請求項１に記載のＣＰＵ冷却用保持装置。
【請求項３】
プレス板と、把持捧と、保持捧とが、打抜きにより一体形成されることを特徴とする請求項１に記載のＣＰＵ冷却用保持装置。
【請求項４】
脚部フックとフック端部とが上方に傾斜することを特徴とする請求項１に記載のＣＰＵ冷却用保持装置。
【請求項５】
ラジエータ基部の放熱板上に上板を加えることができることを特徴とする請求項１に記載のＣＰＵ冷却用保持装置。
【請求項６】
保持捧の上部から、外回転板が延びることができることを特徴とする請求項１に記載のＣＰＵ冷却用保持装置。
【請求項７】
ＣＰＵ基部がＰ４タイプであることを特徴とする請求項１に記載のＣＰＵ冷却用保持装置。
【請求項８】
プレス板が、把持捧に一体結合されたＸ字形板であり、保持捧と交差部とが、中央孔を持つ４面中央部を形成することを特徴とする請求項１に記載のＣＰＵ冷却用保持装置。
【考案の詳細な説明】
【０００１】
【考案の属する技術分野】
本考案は、ＣＰＵ冷却用保持装置に関する。
【０００２】
【従来の技術】
コンピュータは至る所で使用されており、業界全体の努力によるコンピュータの開発によって、容量がさらに大きくなり、動作速度がさらに速くなり、機能が絶え間なく強化されている。増強されたＣＰＵは重要な利点をもたらす。
【０００３】
実際に、どのコンピュータもすべて、ＣＰＵを少なくとも有し、ＣＰＵの機能はコンピュータの有効性にとって重要な役割を果たす。このため、製造業者は、展開および開発を行い、コンピュータがユーザの必要を満たすことができるようにコンピュータの機能を強化している。
【０００４】
従来のＣＰＵの熱放散は、ほとんどの場合、シンクを介して行われる。このシンクは、シンク上の複数の冷却フィンと共にＣＰＵ上に付加され、ＣＰＵに接触するシンク底部による伝導を介して熱を冷却フィンへ導くことができ、その後、冷却ファンにより熱を放射して引き出すことができるようになっている。もちろん、横方向の補助熱放散等の別の方法を使用することもできる。しかし、基本的に、ＣＰＵ上で放熱を行うために現在使用されている方法は一般的なものであり、おそらくＣＰＵの熱放散の標準的な方法であると考えることができる。
【０００５】
【考案が解決しようとする課題】
一般的な方法は基本的に必要なものを得ることができ、おそらく旧式のＣＰＵにはこの方法で十分であるが、新しく開発されたＣＰＵに使用する際に、シンクとＣＰＵとの相互の接触が維持されないという欠陥がある。有効な熱伝導を提供するために、シンクとＣＰＵとの間の接触を維持する必要がある。接触が維持されない場合、熱伝導の効果が薄れてしまう。同時に、ＣＰＵに接合されたシンクを、ツールまたは接合部品により助ける必要がある。さらに、シンクの側面に補助冷却装置が取り付けられている場合、重心がずれてシンクがＣＰＵに水平に密着することができなくなるおそれがある。
そこで、本考案の目的は、ＣＰＵ基部とラジエータ基部とを固定することのできる係合装置と呼ばれる、ＣＰＵ冷却用保持装置を提供することである。
【０００６】
【課題を解決するための手段】
保持装置は、プレス板、把持捧、保持捧、および２つの可動フック脚部を含む。プレス板は、熱伝導金属から作られ、２つの側面が残りの部分よりも高く、中心部が２つの側面よりも低くて中央板を形成する。把持捧は、熱伝導金属から作られ、プレス板に接合され、下方へ延びるフック脚部を両端が各々有し、各フック脚部の端部が内曲げ脚部フックとなっている。保持捧は、熱伝導金属から作られ、把持捧とは反対側の一方の側面に配置され、両端がピボット装置を各々有する。可動フック脚部は、熱伝導金属から作られ、各ピボット装置に可動に接合され、各可動フック脚部の下端部が内曲げフック端部となっている。フック脚部はＣＰＵ基部に事前設定された４つの支柱孔のうちの２つに挿入され、可動フック脚部は支柱孔のうちの別の２つに挿入され、中央板はラジエータ基部の上部を押圧して、ＣＰＵ基部とラジエータ基部とが密着したまま維持されるようになっている。
詳述すると、本考案のＣＰＵ冷却用保持装置は、ＣＰＵ基部とラジエータ基部とを固定することのできる係合装置と呼ばれる、ＣＰＵ冷却用保持装置であって、
熱伝導金属から作られ、残りの部分よりも高い２つの側面を有し、２つの側面よりも低くて中央板を形成する中心部を提供するプレス板と、
熱伝導金属から作られ、プレス板に接合され、下方へ延びるフック脚部を両端が各々有し、各フック脚部の端部が内曲げ脚部フックである把持捧と、
熱伝導金属から作られ、把持捧とは反対側の一方の側面に配置され、両端がピボット装置を各々有する保持捧と、
熱伝導金属から作られ、各ピボット装置に可動に接合され、各可動フック脚部の下端部が内曲げフック端部である２つの可動フック脚部とを含み、
フック脚部はＣＰＵ基部に事前設定された４つの支柱孔のうちの２つに挿入され、可動フック脚部は支柱孔のうちの別の２つに挿入され、中央板はラジエータ基部の上部を押圧して、ＣＰＵ基部とラジエータ基部とが密着したまま維持されることからなる。
又、２つの可動フック脚部を、接続板により互いに接合することができることが好適である。
又、プレス板と、把持捧と、保持捧とが、打抜きにより一体形成されることが好適である。
又、脚部フックとフック端部とが上方に傾斜することが好適である。
又、ラジエータ基部の放熱板上に上板を加えることができることが好適である。
又、保持捧の上部から、外回転板が延びることができることが好適である。
又、ＣＰＵ基部がＰ４タイプであることが好適である。
さらに、プレス板が、把持捧に一体結合されたＸ字形板であり、保持捧と交差部とが、中央孔を持つ４面中央部を形成することが好適である。
【０００７】
【考案の実施の形態】
本考案は、以下の説明および添付図面を参照することにより、より完全に理解することができる。
【０００８】
図１では、本考案の保持装置１が、使用するＣＰＵ基部ＡおよびシンクＢから引き出されている。
【０００９】
基本的に、現在使用されているＣＰＵはＣＰＵ基部Ａに固着され、このＣＰＵ基部Ａは、標準仕様による大きさであり、Ｐ４タイプと呼ばれる。ＣＰＵ基部Ａの４隅から、正方形の支柱孔Ａ２を各々持つ支柱Ａ１が上方に延び、４つの支柱Ａ１により限定された空間でシンクＢを受ける。通常、シンクＢは正方形であり、シンクＢの上部には、垂直かつ平行な放熱板から構成される放熱アセンブリＢ１が形成される。より広い領域の伝導を行うために、例えば上板Ｂ２を、より大きな伝導領域を形成する放熱アセンブリＢ１の上部中央領域に配置することができる。前記したように、シンクＢの側面には補助ラジエータ装置Ｃを設けることができる。しかし、補助ラジエータ装置ＣがあるとシンクＢが斜めになりやすい。補助ラジエータ装置Ｃの有無にかかわらず、ＣＰＵ基部内でＣＰＵの上面にシンクＢを密着させたまま維持する方法が、対処すべき課題である。
【００１０】
したがって、本考案で開示される保持装置１を使用して、シンクＢをＣＰＵ基部Ａに密着させたまま維持する。
【００１１】
再び図１では、保持装置１は打抜き板から作ることが好ましく、その大きさはＣＰＵ基部Ａに対応したものとする。さらに、保持装置１は、中央のプレス板部１１、一方の側面の把持捧部１２、把持捧部１２とは反対側の別の側面の保持捧部１３、および２つの可動フック脚部１４から構成される。
【００１２】
ここで、保持装置１は、係合状態にあるときに、シンクＢの上面を押圧することができる。保持装置１は、矩形の中央板１１１である中心交差部を持つＸ字形であり、中央板１１１に中央孔１１２を設けることができることが見てとれる。中央板１１１の代わりに、純粋な板、２つの平行なストリップ等を使用できることに注目されたい。高さを一定させるために、プレス板部１１は保持装置１の中央へ向かって下方に傾斜している。
【００１３】
把持捧部１２はプレス板部１１に固着され、打抜きにより把持捧部１２とプレス板部１１とを一体形成することが好ましい。把持捧部１２の両端から、フック脚部１２１が各々下方へ延び、フック脚部１２１の自由端には、内向きの脚部フック１２２があって、支柱孔Ａ２の１つに係合するようになっている。
【００１４】
保持捧部１３もプレス板部１１に固着され、打抜きにより保持捧部１３をプレス板部１１と一体形成することが好ましい。保持捧部１３の両端部は各々ピボット装置１３１を提供して、可動フック脚部１４を接続する。ピボット装置１３１は外縁部の開口とすることができる。
【００１５】
ピボット装置１３１は、可動フック脚部１４の１つ等が通過できるように平坦な形状となっている。図１からわかるように、２つの可動フック脚部１４は互いに独立して配置され、あるいは、２つの可動フック脚部１４を接続板により一体に接合することができる。各可動フック脚部１４の下端部には、内曲げフック端部１４１がある。同時に、各可動フック脚部１４の上部から、プレス板１４２が上方に延びることができて、押圧動作を容易にし、可動フック脚部１４が保持捧部１３に対してある角度内で左右に揺動できるようにする。
【００１６】
本考案の保持装置を、熱伝導金属から作ることによりＣＰＵラジエータの熱伝達を高め、打抜きによって作ることにより、補強リブを形成して強度を高めることができる。これらは従来技術に属するものであるため、更なる詳細な説明は行わない。
【００１７】
図１に伴う図２、３では、使用時において、ラジエータＢがＣＰＵ基部Ａ内に配置される場合に、保持装置１のフック脚部１２１が、ＣＰＵ基部Ａの一方の側面にある支柱Ａ１の支柱孔Ａ２上を通り、かつ支柱孔Ａ２に係合することができる。その後、可動フック脚部１４の各フック端部１４１が、ＣＰＵ基部Ａの反対側の側面にある支柱Ａ１の支柱孔Ａ２に挿入され、プレス板１４２が外側に回転されて、フック端部１４１が上方に移動して支柱の内壁を押圧できるようにし、これにより中央板１１１がシンクＢを押圧し、シンクＢとＣＰＵ基部Ａとが互いに密着して完全に隣接した状態になるように圧迫する。
【００１８】
前記したように、放熱板Ｂ１上に配置された上板Ｂ２の助けにより、係合の密着性を調節することができる。
【００１９】
保持装置を取り外す際には、プレス板１４２を下方に押圧してフック端部１４１を下方へ移動し、その後、プレス板１４２を内側に回転して、支柱孔Ａ２を通してフック端部１４１を外側へ引っ張り、緩んだ状態が得られるようにする。
【００２０】
本考案の保持装置は、４隅での係合に加えて、中央部でプレス接合を行うことにより、ＣＰＵ基部と、シンクと、本考案の保持装置との間の完全な密着を達成することができることを理解されたい。さらに、上板Ｂ２を加えて密着性を高めることができる。このようにして、シンクに横方向から接合された補助装置により重心がずれることによってシンクとＣＰＵとの間に間隙が生じることが不可能となる。さらに、本考案の保持装置を介して熱を導出することができ、保持装置を係合／分離する動作にツールまたは他の部品の助けを得る必要がなくなる。
【００２１】
本考案について、好適な実施形態を参照して説明したが、頭記の請求の範囲により定義される本考案の精神を逸脱することなく、修正または変更を容易に行うことができることを理解されたい。
【図面の簡単な説明】
【図１】ＣＰＵラジエータ用保持装置および関連部品の分解図である。
【図２】係合状態にある保持装置の正面図である。
【図３】係合状態にある保持装置の断面図である。
【符号の説明】
１　保持装置
１１　プレス板部
１２　把持捧部
１３　保持捧部
１４　可動フック脚部
１１１　中央板
１１２　中央孔
１２１　フック脚部
１２２　脚部フック
１３１　ピボット装置
１４１　内曲げフック端部
１４２　プレス板
Ａ　ＣＰＵ基部
Ａ１　支柱
Ａ２　支柱孔
Ｂ　シンク
Ｂ１　放熱板
Ｂ２　上板
Ｃ　補助ラジエータ装置
【図１】
0003096938.tif 000003
【図２】
0003096938.tif 000004
【図３】
0003096938.tif 000005